【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
エネルギを放射し、それに応答して、ダイナミックに画像を収集するように構成され、前記収集画像は所与の次元を有する、画像収集プロセッサと、
前記収集画像からの前記収集により繰り返し、ダイナミックに選択し、前記選択の結果として、前記次元の画像のセットにおけるメンバシップを繰り返し、ダイナミックに変更するように構成される画像選択プロセッサと、
前記変更に同期して、前記所与の次元より高い次元を有する画像に前記セットをダイナミックに、繰り返しレジストレーションするように構成される画像共同レジストレーションプロセッサと
を有する、画像共同レジストレーション装置であって、
前記選択は、前記セットにおいて、前記収集画像の現在の一つを含むか否かを決定し、前記レジストレーションの前記繰り返しは、それに対応して、前記変更のインスタンスに応答することを含む、
画像共同レジストレーション装置。
【請求項２】
前記収集のためのイメージングプローブと、
前記プローブの位置及び方向をトラッキングするためのトラッキングシステムと、
を更に有し、
前記レジストレーションは、前記収集の間、角形成、回転、及び並進の何れか一つ又はそれより多くがダイナミックになされる前記プローブでの前記収集のために特化される、
請求項１に記載の装置。
【請求項３】
前記変更は、前記セットに対して、前記画像の前記現在の一つを加える、請求項１に記載の装置。
【請求項４】
前記収集画像は、前記所与の次元より高い次元を有する前記画像のものと異なるイメージングモダリティのものである、請求項１に記載の装置。
【請求項５】
前記所与の次元は２である、請求項１に記載の装置。
【請求項６】
前記選択は、収集される超音波画像フレームから超音波画像フレームを選択することを有する、請求項１に記載の装置。
【請求項７】
前記収集画像は、前記収集を介して検査を受ける対象物内における異なる位置から収集される、請求項１に記載の装置。
【請求項８】
繰り返しは、前記レジストレーションにより、前記セットにおける前記画像をより高い次元を有する前記画像に現在レジストレーションする、請求項１に記載の装置。
【請求項９】
エネルギを放射し、それに応答して、ダイナミックに画像を収集するように構成され、前記収集画像は所与の次元を有する、画像収集プロセッサと、
前記収集画像からの前記収集により繰り返し、ダイナミックに選択し、前記選択の結果として、前記次元の画像のセットにおけるメンバシップを繰り返し、ダイナミックに変更するように構成される画像選択プロセッサと、
前記変更に同期して、前記所与の次元より高い次元を有する画像に前記セットをダイナミックに、繰り返しレジストレーションするように構成される画像共同レジストレーションプロセッサと
を有する、画像共同レジストレーション装置であって、
前記レジストレーションは、前記セットのメンバの個別の変換によって初期化されるが、再構成に対する必要性なしで、前記セットから、前記メンバに対して外部の更なるピクセルを導出する、前記所与の次元より高い次元の画像への前記セットの個別の変換によって初期化される、画像共同レジストレーション装置。
【請求項１０】
エネルギを放射し、それに応答して、ダイナミックに画像を収集するように構成され、前記収集画像は所与の次元を有する、画像収集プロセッサと、
前記収集画像からの前記収集により繰り返し、ダイナミックに選択し、前記選択の結果として、前記次元の画像のセットにおけるメンバシップを繰り返し、ダイナミックに変更するように構成される画像選択プロセッサと、
前記変更に同期して、前記所与の次元より高い次元を有する画像に前記セットをダイナミックに、繰り返しレジストレーションするように構成される画像共同レジストレーションプロセッサと
を有する、画像共同レジストレーション装置であって、
前記レジストレーションは所定の濃度閾値を満たすのに十分高い前記セットの濃度を受ける、画像共同レジストレーション装置。
【請求項１１】
エネルギを放射し、それに応答して、ダイナミックに画像を収集するように構成され、前記収集画像は所与の次元を有する、画像収集プロセッサと、
前記収集画像からの前記収集により繰り返し、ダイナミックに選択し、前記選択の結果として、前記次元の画像のセットにおけるメンバシップを繰り返し、ダイナミックに変更するように構成される画像選択プロセッサと、
前記変更に同期して、前記所与の次元より高い次元を有する画像に前記セットをダイナミックに、繰り返しレジストレーションするように構成される画像共同レジストレーションプロセッサと
を有する、画像共同レジストレーション装置であって、
前記画像選択プロセッサは、画質測定基準を計算するために前記収集画像の中からの画像に関して動作するように更に構成され、前記選択は前記測定基準に基づく、画像共同レジストレーション装置。
【請求項１２】
エネルギを放射し、それに応答して、ダイナミックに画像を収集するように構成され、前記収集画像は所与の次元を有する、画像収集プロセッサと、
前記収集画像からの前記収集により繰り返し、ダイナミックに選択し、前記選択の結果として、前記次元の画像のセットにおけるメンバシップを繰り返し、ダイナミックに変更するように構成される画像選択プロセッサと、
前記変更に同期して、前記所与の次元より高い次元を有する画像に前記セットをダイナミックに、繰り返しレジストレーションするように構成される画像共同レジストレーションプロセッサと
を有する、画像共同レジストレーション装置であって、
前記画像の現在収集される一つ及び前記セットにおける画像の両方は、各々のコンテンツを有し、前記選択は前記各々のコンテンツの間の差を評価することを含み、前記選択は前記評価に基づく、画像共同レジストレーション装置。
【請求項１３】
エネルギを放射し、それに応答して、ダイナミックに画像を収集するように構成され、前記収集画像は所与の次元を有する、画像収集プロセッサと、
前記収集画像からの前記収集により繰り返し、ダイナミックに選択し、前記選択の結果として、前記次元の画像のセットにおけるメンバシップを繰り返し、ダイナミックに変更するように構成される画像選択プロセッサと、
前記変更に同期して、前記所与の次元より高い次元を有する画像に前記セットをダイナミックに、繰り返しレジストレーションするように構成される画像共同レジストレーションプロセッサと
を有する、画像共同レジストレーション装置であって、
所定の画像間レジストレーション完了基準が満たされるか否かを決定し、前記基準が満たされるという前記決定に応答して自動的に、ユーザ介入の必要性なしに前記レジストレーションを停止するように構成される、画像共同レジストレーション装置。
【請求項１４】
画像共同レジストレーションのためのプログラムを具現化するためのコンピュータ読取り可能な媒体であって、前記プログラムは複数の動作を実行するためのプロセッサによって実行可能な命令を有し、前記複数の動作の間に、
エネルギを放射し、それに応答して、ダイナミックに画像を収集し、前記収集画像は所与の次元を有する、ステップと、
前記収集画像の中からの前記収集により繰り返し、ダイナミックに選択し、前記選択の結果として、前記次元の画像のセットにおけるメンバシップを繰り返し、ダイナミックに変更するステップと、
前記変更に同期して、前記所与の次元より高い次元を有する画像に前記セットをダイナミックに、繰り返しレジストレーションするステップと
の動作がある、コンピュータ読取り可能な媒体において、
前記選択は、前記セットにおいて、前記収集画像の現在の一つを含むか否かを決定し、前記レジストレーションの前記繰り返しは、それに対応して、前記変更のインスタンスに応答する、コンピュータ読取り可能な媒体。
【請求項１５】
エネルギを放射し、それに応答して、ダイナミックに画像を収集するように構成され、前記収集画像は所与の次元を有する、画像収集プロセッサと、
前記収集画像からの前記収集により繰り返し、ダイナミックに選択し、前記選択の結果として、前記次元の画像のセットにおけるメンバシップを繰り返し、ダイナミックに変更するように構成される画像選択プロセッサと、
前記変更に同期して、前記所与の次元より高い次元を有する画像に前記セットをダイナミックに、繰り返しレジストレーションするように構成される画像共同レジストレーションプロセッサと
を有する、画像共同レジストレーション装置であって、
前記選択は、連続的に前記収集により、前記収集画像を検査することを含む、画像共同レジストレーション装置。